(57)【要約】【課題】プログラム運転を容易に再開することが出来る緊急停止用のスイッチを設けた集中制御システムを提供する。【解決手段】集中制御盤１に複数台の空調機器４を接続し、前記集中制御盤１で、各空調機器４の運転開始や停止を月日や時間で予め設定して運転するプログラム運転と、その場で各空調機器４の運転開始と停止を制御するマニュアル運転とが選択されて行われるもので、前記集中制御盤１には、プログラム運転及びマニュアル運転の全空調機器４の運転を停止させ、プログラム運転を解除する全停止スイッチ１６と、プログラム運転及びマニュアル運転の全空調機器４の運転を停止させ、プログラム運転は解除せず、日付が変わることでプログラム運転を復帰させる本日の運転終了スイッチ１７とを備えたものである。【選択図】図７
2015078826.tif 000002
【特許請求の範囲】
【請求項１】
集中制御盤に複数台の空調機器を接続し、前記集中制御盤で、各空調機器の運転開始や停止を月日や時間で予め設定して運転するプログラム運転と、その場で各空調機器の運転開始と停止を制御するマニュアル運転とが選択されて行われるものに於いて、前記集中制御盤には、プログラム運転及びマニュアル運転の全空調機器の運転を停止させ、プログラム運転を解除する全停止スイッチと、プログラム運転及びマニュアル運転の全空調機器の運転を停止させ、プログラム運転は解除せず、日付が変わることでプログラム運転を復帰させる本日の運転終了スイッチとを備えた事を特徴とする集中制御システム。
【発明の詳細な説明】
【技術分野】
【０００１】
この発明は、多数の区画された部屋を有する学校や病院、公共施設などで、この各部屋に設置されたエアコンやストーブを一箇所で集中的に制御する集中制御システムに関するものである。
【背景技術】
【０００２】
従来よりこの種のものに於いては、全停止スイッチ（一斉停止スイッチ）で、プログラム運転の暖房機やマニュアル運転の暖房機に関係なく、全運転中の暖房機の運転を緊急的に停止することが出来るものであった。（例えば、特許文献１参照。）
【先行技術文献】
【特許文献】
【０００３】
【特許文献１】特開２００１−１６５４９３号公報
【発明の概要】
【発明が解決しようとする課題】
【０００４】
ところでこの従来のものでは、全停止スイッチでプログラム運転の暖房機を停止させた場合には、別の特別スイッチなスイッチであるメモリー運転スイッチを押圧しなければ、プログラム運転を再開することが出来ず、操作が頻雑で分かり難いものであった。
【課題を解決するための手段】
【０００５】
この発明は上記課題を解決するために、特にその構成を、集中制御盤に複数台の空調機器を接続し、前記集中制御盤で、各空調機器の運転開始や停止を月日や時間で予め設定して運転するプログラム運転と、その場で各空調機器の運転開始と停止を制御するマニュアル運転とが選択されて行われるものに於いて、前記集中制御盤には、プログラム運転及びマニュアル運転の全空調機器の運転を停止させ、プログラム運転を解除する全停止スイッチと、プログラム運転及びマニュアル運転の全空調機器の運転を停止させ、プログラム運転は解除せず、日付が変わることでプログラム運転を復帰させる本日の運転終了スイッチとを備えたものである。
【発明の効果】
【０００６】
以上のようにこの発明によれば、プログラム運転及びマニュアル運転の全空調機器の運転を停止させ、プログラム運転を解除する全停止スイッチと、プログラム運転及びマニュアル運転の全空調機器の運転を停止させ、プログラム運転は解除せず、日付が変わることでプログラム運転を復帰させる本日の運転終了スイッチとを備えたことで、プログラム運転を再開することなく全空調機器の運転を停止させる時には、全停止スイッチを押圧して全停止させて、災害時等の緊急時に対応出来て安全の確保が簡単に行われるものであり、又全停止ではあるがそれ程緊急用しない時や今日１日だけ停止させて置けば良い時には、本日の運転終了スイッチを押圧して全停止させるが、プログラム運転については、再設定の必要もなく、その日の日付が変わることでプログラム運転が自動的に再開され、極めて使用勝手が良く安心して使用出来るものである。
【図面の簡単な説明】
【０００７】
【図１】この発明の一実施形態の集中制御システムの概略構成図。
【図２】同操作画面の初期設定画面の説明図。
【図３】同操作画面のグループ設定画面の説明図。
【図４】同操作画面の週間タイマー設定画面の説明図。
【図５】同操作画面のグループ別モニター画面の説明図。
【図６】同全停止スイッチ操作時のフローチャート。
【図７】同本日の運転終了スイッチ操作時のフローチャート。
【発明を実施するための形態】
【０００８】
この発明の集中制御システムの一実施形態を図面に基づき説明する。
１はパネルコンピューターから成る集中制御盤で、１５インチのタッチパネル方式の表示兼用の操作画面２を有し、初期設定時にはキーボード（図示せず）を接続可能とし、文字や数字入力によって各種の設定を可能として、後述する複数の空調機器の運転開始／停止及び室温制御等の集中制御を行うものである。
３は前記操作画面２と共に集中制御盤１を構成する分配器で、各部屋に設置されているＦＦ式の石油ストーブからなる空調機器４を最大３２台接続した制御信号線５が２本ずつ接続されており、この分配器３を４個有し最大で２５６台の空調機器４が接続可能で、運転開始／停止及び室温制御等の集中制御を行うものである。
【０００９】
６は操作画面２中の初期設定スイッチで、集中制御の初期設定を行うものであり、続いてシステム設定スイッチ７を押圧することで、操作画面２がシステム設定画面に切り替わり、システムの物件名、導入年月日等が入力可能でフォルダー内に格納される。
８は型式設定スイッチで、初期設定スイッチ６に続いて押圧されることで、操作画面２が型式設定画面に切り替わり、最大２０種類の型式を登録することが出来るものである。
【００１０】
９はグループ設定スイッチで、初期設定スイッチ６に続いて押圧されることで、操作画面２がグループ設定画面に切り替わり、１階西や２階東等の２０項目のグループが設定可能で、１グループにつき３０台の空調機器４を分けることが出来る。
【００１１】
１０は操作画面２中のプログラム設定スイッチで、押圧されるとプログラム設定画面に切り替わり、週間タイマースイッチ１１、年間タイマースイッチ１２、日付・時刻スイッチ１３が表示され、続けて週間タイマースイッチ１１が押圧されれば、プログラム表示に例えば１年生の一週間の時間割が表示され、プログラム運転で運転したい各曜日と各時間に渡って運転するか停止するかを設定可能で、年間タイマースイッチ１２を続いて押圧すれば、４ヶ月前と４ヶ月後が表示され、現在の月を基準として最大１３年後まで表示されて、運転したい日にちのプログラム運転を設定可能で、続いて日付・時刻スイッチ１３を押圧すれば、日付と時刻が表示されこの画面で日付と時刻の設定が行われるものである。
【００１２】
１４はモニタースイッチで、予めグループ分けされたグループ毎に現在の設定や運転状態が表示され、マニュアル運転の運転開始や停止、マニュアル運転からプログラム運転への切替及びこの逆も変更可能で、更にグループで一括運転や停止の操作及び設定温度の変更も行うことが出来るものである。
【００１３】
１５はプログラム運転スイッチで、プログラム運転に設定された空調機器４をプログラム、即ち予め設定した日時や温度で運転開始／停止を行う運転を開始させるものであり、設定された期間に渡って設定された通りに運転制御されるものである。
【００１４】
１６は異常状態等の緊急時に押圧されることにより全空調機器４を強制的に停止させる全停止スイッチで、マニュアル運転やプログラム運転に関係なく全ての運転が停止されるものであり、プログラム運転で運転停止による時刻待ち中でも停止され、再度プログラム運転スイッチ１５が押圧されないとプログラム運転は再開されないものである。
【００１５】
１７は本日の運転終了スイッチで、同じく緊急時に押圧されることにより全空調機器４の運転を強制的に停止するものであるが、プログラム運転については、深夜１２時を回り日付が翌日の日付に変わることで、何ら別の追加操作をすることなく自動的にプログラム運転が再開されるもので、即ち本日の運転終了スイッチ１７の押圧で本日の集中制御運転は全て停止されるが、少なくともプログラム運転は翌日には運転開始され、極めて使用勝手が良いものである。
【００１６】
１８は分配器３とグループ分けされた空調機器４とをつなぐ制御信号線５途中に接続される外部警報器からなる子機ユニットで、地震を感知して通電を停止させる感震器や緊急停止スイッチが接続されるものであり、各分配器３につき３台まで設置可能としているものである。
【００１７】
次にこの集中制御システムの作動について説明すれば、今集中制御盤１でマニュアル運転やプログラム運転の各種設定を行った後、この集中制御により各空調機器４を運転制御している状態で、図６のフローチャートに示すように、緊急事態が発生し全空調機器４の運転を停止させる必要が生じた場合には、操作画面２に常時表示されている全停止スイッチ１６を押圧すれば（ステップ１９）、ＹＥＳでステップ２０に進みマニュアル運転やプログラム運転に関係なく全ての空調機器４の運転が停止されるものであり、プログラム運転で運転停止による時刻待ち中でも停止され、再度プログラム運転スイッチ１５が押圧されないとプログラム運転は再開されないものである。
【００１８】
又緊急状態であるので全空調機器４は一担全て停止させるが、停止させるのは今日だけでプログラム運転は明日以降は再開させたい場合には、図７のフローチャートに示すように、操作画面２に常時表示されている本日の運転終了スイッチ１７を押圧すれば（ステップ２１）、ＹＥＳでステップ２２に進みマニュアル運転やプログラム運転に関係なく全ての空調機器４の運転が停止されるが、プログラム運転は解除されずステップ２３に進んで現在時刻が深夜１２時を回り翌日に成ったかを判断し、ＹＥＳでステップ２４に進みプログラム運転を再開するものである。
【００１９】
これによって、プログラム運転を再開することなく全空調機器の運転を停止させる時には、全停止スイッチを押圧して全停止させて、災害時等の緊急時に対応出来て安全の確保が簡単に行われるものであり、又全停止ではあるがそれ程緊急用しない時や今日１日だけ停止させて置けば良い時には、本日の運転終了スイッチを押圧して全停止させるが、プログラム運転については、再設定の必要もなく、その日の日付が変わることでプログラム運転が自動的に再開され、極めて使用勝手が良く安心して使用出来るものである。
【符号の説明】
【００２０】
１  集中制御盤
４  空調機器
１６  全停止スイッチ
１７  本日の運転終了スイッチ
【図１】
2015078826.tif 000003
【図２】
2015078826.tif 000004
【図３】
2015078826.tif 000005
【図４】
2015078826.tif 000006
【図５】
2015078826.tif 000007
【図６】
2015078826.tif 000008
【図７】
2015078826.tif 000009